(57)【要約】【課題】  コストを抑えた状態で施工性よくバランサを取り付けることができる照明器具を提供する。【解決手段】  点灯装置４と放電灯５とを備えた灯体２を吊り下げる照明器具１であって、点灯装置４と、ランプソケット６と、ソケット台７と、点灯装置４の重量と釣り合うバランサ８と、が備えられた点灯ユニット３が、灯体２に着脱自在に取り付けられていることを特徴としている。また、バランサ８は、ソケット台７に取り付けられることを特徴としている。【選択図】図１
2006277958.tif 000002
【特許請求の範囲】
【請求項１】
点灯装置と放電灯とを備えた灯体を吊り下げる照明器具であって、点灯装置と、ランプソケットと、ソケット台と、点灯装置の重量と釣り合うバランサと、が備えられた点灯ユニットが、灯体に着脱自在に取り付けられたことを特徴とする照明器具。
【請求項２】
バランサは、ソケット台に取り付けられることを特徴とする請求項１に記載の照明器具。
【発明の詳細な説明】
【技術分野】
【０００１】
本発明は、点灯装置と放電灯とを備えた灯体を吊り下げる照明器具に関するものである。
【背景技術】
【０００２】
従来から、点灯装置と放電灯とを備えた灯体を吊り下げる照明器具が知られている。この照明器具は吊り下げ型器具や天井に設けられた昇降装置により灯体を昇降するような放電灯照明器具であり、点灯装置が灯体に一体に構成されている。
【０００３】
ここで、点灯装置の重量により灯体が傾かないようにするため、特開２００１−３０７５４０号公報（特許文献１）に記載されているように、この照明器具は、点灯装置を灯体の上部に配置していた。また、特開平０９−９２０２４号公報（特許文献２）に記載されているように、この照明器具は、点灯装置をあらかじめ分割して、ソケット台の周囲に複数個の点灯装置の重量がバランスするように配置していた。
【特許文献１】特開２００１−３０７５４０号公報
【特許文献２】特開平０９−９２０２４号公報
【発明の開示】
【発明が解決しようとする課題】
【０００４】
しかしながら、上記構成では、灯体自体の高さが大きくなる、点灯装置が専用品となりコストアップとなるという可能性があった。そのため施工手順として、放電灯に適する点灯装置を取り付け、さらにこの点灯装置の重量と釣り合うバランサを取り付けるものが採用されていたが、施工が煩雑になるという可能性があり、特にバランサを取り付けるまでには灯体が傾き、施工性が悪くなるという可能性があった。
【０００５】
本願発明は、上記背景技術に鑑みてなされたものであり、その課題は、コストを抑えた状態で施工性よくバランサを取り付けることができる照明器具を提供することである。
【課題を解決するための手段】
【０００６】
上記課題を解決するために、本願発明は、点灯装置と放電灯とを備えた灯体を吊り下げる照明器具であって、点灯装置と、ランプソケットと、ソケット台と、点灯装置の重量と釣り合うバランサと、が備えられた点灯ユニットが、灯体に着脱自在に取り付けられたことを特徴とする照明器具である。
【０００７】
また、バランサは、ソケット台に取り付けられる。
【発明の効果】
【０００８】
本願発明によれば、点灯装置と、ランプソケットと、ソケット台と、点灯装置の重量と釣り合うバランサと、が備えられた点灯ユニットが、灯体に着脱自在に取り付けられるようになっているので、点灯ユニットの取りつけにより点灯装置の重量と釣り合うバランサの取り付けが同時に完了することとなり、施工性がよく、特に点灯装置とバランサが同時に取り付けられることから、施工途中に灯体が傾くことをすることができる。
【発明を実施するための最良の形態】
【０００９】
本願の請求項１に対応した照明器具１の一実施形態を図１及び図２により説明する。
【００１０】
本実施形態の照明器具１は、図１及び図２に示す如く、点灯装置４と放電灯５とを備えた灯体２を吊り下げる照明器具１であって、点灯装置４と、ランプソケット６と、ソケット台７と、点灯装置４の重量と釣り合うバランサ８と、が備えられた点灯ユニット３が、灯体２に着脱自在に取り付けられたことを特徴とする。ここで、バランサ８は、ソケット台７に取り付けられる。
【００１１】
以下、本実施形態による照明器具１の構成を、図１及び図２に基づいて、より具体的詳細に説明する。
【００１２】
照明器具１は、灯体２と、灯体２の上方に備えられた昇降装置１１と、から構成される。ここで昇降装置１１を取付けることなく、天井から照明器具１を直接吊り下げるようにしてもよい。
【００１３】
灯体２は、ランプセード９と、ガラスパネル１２と、点灯ユニット３が収納される収納ボックス１０と、から構成される。ここで、ガラスパネル１２はガードやルーバーであってよく、またランプセード９は、放電灯５に臨む面が反射面となっていてもよい。
【００１４】
放電灯５は、高周波電流を受けて、放電、発光するもので、蛍光灯を例示できる。
【００１５】
点灯ユニット３は、点灯装置４と、ランプソケット６と、ソケット台７と、バランサ８とが備えられたもので、ランプソケット６とバランサ８は直接に、点灯装置４は渡り線１３を経由して、それぞれソケット台７に固定されている。
【００１６】
点灯装置４は、底面部に略Ｌ字状の固定部材を有する略直方体の部材であり、図示しない交流電源から電源供給を受け、放電灯５を点灯させるための高周波電流を供給するものである。
【００１７】
ランプソケット６は、放電灯５が装着される凹部を有し、点灯装置４からの高周波電流を渡り線１３を経由して放電灯に供給するものである。
【００１８】
ソケット台７は、ランプソケット６を固定する台であり、板状部材を凸状に折り曲げたものである。ソケット台７の凸部の中央にランプソケット６が固定されている。
【００１９】
バランサ８は、点灯装置４の重量と釣り合うものであり、ソケット台７に取り付けられている。
【００２０】
次に、本実施形態による照明器具１の施工について、図１及び図２に基づいて、より具体的詳細に説明する。
【００２１】
まず、昇降装置１１が図示しない取り付けボルトによって、天井面から吊り下げられるように固定される。
【００２２】
次いで、用いられる放電灯５の規格に適する点灯装置４と、ランプソケット６と、ソケット台７と、点灯装置４の重量と釣り合うバランサ８とが備えられた点灯ユニット３が、収納ボックス１０に収納される。
【００２３】
次いで、収納ボックス１０が昇降装置の下方に固定され、点灯装置４とバランサ８の取り付けが同時に行われる。
【００２４】
さらに放電灯５が装着され、ランプセード９及びガラスパネル１２が取り付けられる。
【００２５】
従って、上記実施形態によれば、点灯装置４と、ランプソケット６と、ソケット台７と、点灯装置４の重量と釣り合うバランサ８と、が備えられた点灯ユニット３が、灯体２に取り付けられるようになっているので、点灯ユニットの取りつけにより点灯装置の重量と釣り合うバランサの取り付けが同時に完了することとなり、施工性がよく、特に点灯装置とバランサが同時に取り付けられることから、施工途中に灯体が傾くことをすることができる。
【００２６】
また、上記実施形態によれば、バランサ8は、ソケット台7に取り付けられているので、点検収容ボックス１３へ点灯ユニット３を収容する場合に工数を削減することができる。
【図面の簡単な説明】
【００２７】
【図１】本願発明の一実施形態の縦断面図
【図２】本願発明の一実施形態における点灯ユニットの斜視図
【符号の説明】
【００２８】
１      照明器具
２      灯体
３      点灯ユニット
４      点灯装置
５      放電灯
６      ランプソケット
７      ソケット台
８      バランサ
【図１】
2006277958.tif 000003
【図２】
2006277958.tif 000004